(57)【特許請求の範囲】
【請求項１】
挿入部の基端に連結された操作部からの遠隔操作によって屈曲する湾曲部が挿入部の先端部分に形成されて、対物光学系等を内蔵した先端部本体が上記湾曲部の先端に連結された内視鏡であって、処置具挿通チャンネルに挿通された処置具の先端部分の突出方向を変えるための処置具起上台が上記先端部本体に配置され、上記処置具起上台が、上記挿入部内に挿通配置された処置具起上操作ワイヤを介して上記操作部からの遠隔操作によって作動するようにした処置具起上装置を有する内視鏡であって、
上記先端部本体と上記湾曲部とが電気的に絶縁して連結されると共に、上記処置具起上操作ワイヤと上記処置具起上台とが電気的に絶縁して連結されて、上記処置具起上操作ワイヤが上記先端部本体に触れないように仕切る電気絶縁材からなる仕切り部材が設けられたものにおいて、
上記処置具起上操作ワイヤと上記処置具起上台とが共に金属製であり、上記処置具起上操作ワイヤの先端に固着された電気絶縁材からなる連結片が、上記処置具起上台と一体に動作するレバーに係合していることを特徴とする処置具起上装置を有する内視鏡。
【請求項２】
上記先端部本体の後端部分に電気絶縁性のブロックが固着されていて、上記湾曲部の先端部分が上記電気絶縁ブロックに連結されている請求項１記載の処置具起上装置を有する内視鏡。
【請求項３】
上記電気絶縁ブロックと上記仕切り部材とが一体に形成されている請求項２記載の処置具起上装置を有する内視鏡。
【発明の詳細な説明】
【０００１】
【発明の属する技術分野】
この発明は、挿入部先端から外方に突出される処置具類の突出方向を変えるための処置具起上装置を有する内視鏡に関する。
【０００２】
【従来の技術】
側方視型内視鏡等においては、一般に、処置具挿通チャンネルに挿通された処置具の先端部分の突出方向を変えるための処置具起上台が挿入部の先端に配置されていて、挿入部内に挿通配置された処置具起上操作ワイヤを介して、挿入部の基端に連結された操作部からの遠隔操作により処置具起上台を作動させるようになっている。
【０００３】
そのような内視鏡において、高周波電流が流される処置具が用いられると、処置具起上台に漏洩した高周波電流が操作部まで伝わって、術者が、処置具起上台操作レバーなど操作部に配置された金属部品に触れたときに火傷をする恐れがある。
【０００４】
そこで従来は、処置具起上台の表面や、処置具起上台と接触する部分の表面等を電気絶縁材で形成していた（実開昭５７−６０６０１号、実開昭６２−９０６０２号）。
【０００５】
【発明が解決しようとする課題】
しかし、そのように処置具起上台の表面や、処置具起上台と接触する部分の表面等を電気絶縁材で形成する構造は、機械的強度が不足して破損し易かったり、部品加工が複雑になったりするため実用的ではなかった。
【０００６】
そこで本発明は、高周波処置具を用いる際の術者の火傷防止を、実用性の高い構造によって達成することができる処置具起上装置を有する内視鏡を提供することを目的とする。
【０００７】
【課題を解決するための手段】
上記の目的を達成するため、本発明の処置具起上装置を有する内視鏡は、挿入部の基端に連結された操作部からの遠隔操作によって屈曲する湾曲部が挿入部の先端部分に形成されて、対物光学系等を内蔵した先端部本体が湾曲部の先端に連結された内視鏡であって、処置具挿通チャンネルに挿通された処置具の先端部分の突出方向を変えるための処置具起上台が先端部本体に配置され、処置具起上台が、挿入部内に挿通配置された処置具起上操作ワイヤを介して操作部からの遠隔操作によって作動するようにした処置具起上装置を有する内視鏡において、先端部本体と湾曲部とを電気的に絶縁して連結すると共に、処置具起上操作ワイヤと処置具起上台とを電気的に絶縁して連結し、処置具起上操作ワイヤが先端部本体に触れないように仕切る電気絶縁材からなる仕切り部材を設けたものである。
【０００８】
なお、処置具起上操作ワイヤと処置具起上台とが共に金属製であり、処置具起上操作ワイヤの先端に固着された電気絶縁材からなる連結片が、処置具起上台と一体に動作するレバーに係合していてもよい。
【０００９】
また、先端部本体の後端部分に電気絶縁性のブロックが固着されていて、湾曲部の先端部分が電気絶縁ブロックに連結されていてもよく、その電気絶縁ブロックと仕切り部材とが一体に形成されていてもよい。
【００１０】
【発明の実施の形態】
図面を参照して本発明の実施例を説明する。
図３は内視鏡を示しており、可撓管によって外装された挿入部１の先端には、挿入部１の基端に連結された操作部３からの遠隔操作によって任意に屈曲する湾曲部４が形成されている。６は、操作部３に配置された湾曲操作ノブである。
【００１１】
挿入部１内から湾曲部４内には、例えば四フッ化エチレン樹脂チューブ等のような電気絶縁性のチューブ材からなる処置具挿通チャンネル２が全長にわたって挿通されており、挿入部１と操作部３との連結部付近に突設された処置具挿入口７に処置具挿通チャンネル２の基端が接続されている。処置具挿通チャンネル２の先端は、挿入部１の先端部分１ａに位置している。
【００１２】
処置具挿通チャンネル２内には各種の処置具１００が挿通されるが、ここでは処置具１００として、高周波電流を通じて処置を行ういわゆる高周波処置具が挿通されている。
【００１３】
処置具１００の先端部分１００ａは、挿入部１の先端部分１ａから側方に突出するが、その突出方向を変化させるための処置具起上台５が、挿入部１の先端部分１ａに内蔵されている。処置具起上台５は、操作部３に設けられた起上台操作ノブ８により進退駆動される処置具起上操作ワイヤによって揺動操作される。
【００１４】
図４は、挿入部１の先端部分１ａの斜視図であり、湾曲部４の先端に連結されたステンレス鋼製の先端部本体１２から絶縁キャップ１１を取り外した状態を示している。
【００１５】
先端部本体１２には対物光学系等が内蔵されており、その外周面の観察窓９、照明窓１０及び処置具誘導溝１４の開口部以外の部分は、例えばフッ素ゴム又はプラスチック等からなる電気絶縁性の絶縁キャップ１１によって外装されている。
【００１６】
この内視鏡は側方視型内視鏡なので、観察窓９と照明窓１０が先端部本体１２の側面に配置され、それと並んで形成された処置具誘導溝１４内に、処置具起上台５が前後方向に揺動自在に配置されている。
【００１７】
図５は、処置具誘導溝１４の中心面における挿入部１の先端部分１ａの側面断面図であり、図１はそれと逆側から見た先端部分１ａの複合側面断面図（切り口の異なる複数の断面が示されている）、図６は図１におけるVI−VI断面図である。
【００１８】
図６に示されるように、観察窓９部分にはカバーレンズ９ａが取り付けられ、その内側には対物光学系の直角ダハプリズム９ｂが配置されている。１０ａは、射出端面が照明窓１０の内側に配置されたライトガイドファイババンドルである。
【００１９】
処置具起上台５は、観察窓９及び照明窓１０と並んで先端部本体１２に形成された一定幅の処置具誘導溝１４内に配置されており、起上台駆動軸１３を中心に回動することによって揺動する。
【００２０】
処置具起上台５はステンレス鋼等のような金属単体部品として形成されているので、強度的に優れ、且つ部品製造が容易である。処置具誘導溝１４の奥の部分には処置具挿通チャンネル２の先端が連通接続されている。
【００２１】
処置具誘導溝１４を挟んで位置する先端部本体１２の側壁のうち外側の壁の外面側には、起上台駆動室２０が窪んで形成されている。起上台駆動室２０内には、起上台駆動軸１３に一体的に直角に連結された起上台駆動レバー２１が収容されている。２３は、起上台駆動室２０の側面開口の蓋をする金属薄板である。起上台駆動レバー２１と起上台駆動軸１３もステンレス鋼製である。
【００２２】
処置具起上操作ワイヤ２２は、ステンレス鋼細線を撚り合わせた撚り線であり、湾曲部４内を含めて挿入部１内の全長にわたって挿通配置されたワイヤガイド３６内を通って、先端に取り付けられた連結部材２４が起上台駆動室２０内において起上台駆動レバー２１の端部に連結されている。この部分についてはさらに後述する。
【００２３】
起上台駆動軸１３と処置具起上台５とは、相対的に回転しないように角軸と角孔の嵌め合いによって連結され、図６に示されるように固定ネジ１３ａによって相互に固定されている。
【００２４】
このような構造により、処置具起上操作ワイヤ２２の進退運動によって起上台駆動レバー２１が起上台駆動軸１３を中心に揺動すると、その運動が起上台駆動軸１３を介してそのまま処置具起上台５に伝達されて、処置具起上台５が前後に揺動し、処置具挿通チャンネル２内に挿通された処置具１００の先端部分１００ａの突出方向を変えることができる。
【００２５】
このように構成された挿入部１の先端部分１ａは、図１に示されるように、湾曲部４の先側に連結されている。湾曲部４はステンレス鋼等の金属環からなる多数の節輪を回動自在に連結して構成されており、４１はそのうちの最先端の節輪である。４２は外皮ゴムチューブ、４３は湾曲操作ワイヤである。
【００２６】
そして、湾曲部４の最先端の節輪４１に対して金属製の先端部本体１２が直接連結されているのではなく、最先端の節輪４１が、先端部本体１２の後端部分に接着剤等により固着された電気絶縁ブロック３１に対して嵌合した状態でネジ止め連結されている。
【００２７】
電気絶縁ブロック３１は例えばポリカーボネート或いは変成ＰＰＯ等のプラスチック又はセラミックス等のような電気絶縁材によって形成されており、最先端の節輪４１を固定する小ネジ３４が、電気絶縁ブロック３１に埋設された金属製のカラー３３にねじ込まれている。
【００２８】
したがって、湾曲部４を構成する部材と先端部本体１２との間は電気的に完全に絶縁されており、金属部品である処置具起上台５に高周波電流が漏洩しても、湾曲部４側には伝わらない。
【００２９】
処置具起上操作ワイヤ２２が軸線方向に挿通配置されたワイヤガイド３６は、ステンレス鋼線を一定の径で密着巻きしたコイルパイプによって形成されて、その先端部分が電気絶縁ブロック３１に対して後方から連結固定されている。
【００３０】
また、ワイヤガイド３６にほぼ真っ直ぐに通じるワイヤ通過孔３２が、電気絶縁ブロック３１を部分的に先側へ延長して形成された電気絶縁突起部３１ａ内に形成されて、その先端は起上台駆動室２０に達している。
【００３１】
したがって、ワイヤ連通孔３２に挿通された処置具起上操作ワイヤ２２は、先端部本体１２との間を電気絶縁突起部３１ａにより仕切られて、先端部本体１２に全く触れない状態になっている。
【００３２】
処置具起上操作ワイヤ２２の先端に取り付けられた連結部材２４は、電気絶縁性のプラスチック等により形成されている。具体的には、図２に示されるように、処置具起上操作ワイヤ２２の先端が差し込まれて固着された首部２４ａの先に、処置具起上操作ワイヤ２２の軸線に対して垂直向きの円柱部２４ｂが一体に形成された形状になっている。
【００３３】
そして、連結部材２４の円柱部２４ｂは起上台駆動レバー２１に形成された係合孔２１ｂに回転自在に嵌め込まれ、首部２４ａが起上台駆動レバー２１に形成されたスリット２１ａを通過する状態に組み付けられている。
【００３４】
したがって、処置具起上操作ワイヤ２２と起上台駆動レバー２１は、互いに直接接触することなく係合孔２１ｂの軸線を中心に相対的に回転自在に連結されており、処置具起上操作ワイヤ２２を進退させることにより起上台駆動レバー２１が起上台駆動軸１３を中心に回動する。
【００３５】
そして、図１に示されるように、処置具起上操作ワイヤ２２がいっぱいに牽引されると、首部２４ａが電気絶縁突起部３１ａの端部に形成された凹み内に引き込まれた状態になる。
【００３６】
このような構成により、処置具起上操作ワイヤ２２が先端部本体１２及び処置具起上台５に対して電気的に絶縁された状態で処置具起上台５を回動駆動することができ、処置具１００から先端部本体１２に高周波電流が漏洩しても、その電流は先端部本体１２部分から処置具起上操作ワイヤ２２及び湾曲部４側へは伝わらない。
【００３７】
したがって、挿入部１の先端部分１ａにおいて漏洩した高周波電流は術者が触れる操作部３まで伝わらないので、術者や助手等が高周波漏洩電流により火傷するおそれがなく、安全に高周波処置を行うことができる。
【００３８】
なお、本発明は上記実施例に限定されるものではなく、例えば図７に示されるように、電気絶縁ブロック３１から突起等を延長形成せずに、処置具起上操作ワイヤ２２と先端部本体１２との間を四フッ化エチレン樹脂チューブからなる絶縁チューブ３１ｂ等で仕切ってもよい。
【００３９】
【発明の効果】
本発明によれば、挿入部の先端において高周波電流が漏洩しても、先端部本体から湾曲部及び処置具起上操作ワイヤに伝わらないので、操作部には高周波電流が伝わらず、操作部を持つ術者が漏洩電流によって火傷を負う恐れがない。
【００４０】
そして、先端の処置具起上台周辺の部材及び操作部のワイヤ駆動部材等のように強度を必要とする部材は全て金属部品により形成することができるので、強度的問題がなくて部品製造が容易である等、高い実用性を有する。
【図面の簡単な説明】
【図１】本発明の第１の実施例の挿入部先端部分の複合側面断面図である。
【図２】本発明の第１の実施例の処置具起上台と処置具起上操作ワイヤとの連結部分の分解斜視図である。
【図３】本発明の第１の実施例の内視鏡の全体構成を示す側面図である。
【図４】本発明の第１の実施例の挿入部先端部分の分解斜視図である。
【図５】本発明の第１の実施例の挿入部先端部分の側面断面図である。
【図６】本発明の第１の実施例の図１におけるVI−VI断面図である。
【図７】本発明の第２の実施例の挿入部先端部分の複合側面断面図である。
【符号の説明】
１  挿入部
２  処置具挿通チャンネル
３  操作部
４  湾曲部
５  処置具起上台
１２  先端部本体
２１  起上台駆動レバー
２１ａ  スリット
２１ｂ  係合孔
２２  処置具起上操作ワイヤ
２４  連結部材
２４ａ  首部
２４ｂ  円柱部
３１  電気絶縁ブロック
３１ａ  電気絶縁突起部
３１ｂ  絶縁チューブ
３６  ワイヤガイド
４１  節輪
【図１】
0004502463.tif 000002
【図２】
0004502463.tif 000003
【図３】
0004502463.tif 000004
【図４】
0004502463.tif 000005
【図５】
0004502463.tif 000006
【図６】
0004502463.tif 000007
【図７】
0004502463.tif 000008